(57)【要約】  本発明は、組み立て部材、とりわけ玩具用組み立て部材に関し、これは、第１半径（ｒ）と第１中心点（Ｍ１）とを備えた円板により形成されている第１領域（１）と、第１半径（ｒ）と第２中心点（Ｍ２）とを備えた円板により形成されている第２領域（２）とを備えている。中心点間の距離は、第１半径（ｒ）の２倍である。この組み立て部材は、さらに、中心点を結ぶ連結直線の両側に延在する、両凹型の移行領域（４）を有し、この移行領域は、第１境界線（３０）と第２境界線（３１）とを備え、中心点を結ぶ連結線分の垂直二等分線は、第１境界線（３０）と第１点（Ｐ１）で交差し、第２境界線（３１）と第２点（Ｐ２）で交差する。第１点（Ｐ１）と、第２点（Ｐ２）とで、両凹型の移行領域（４）にそれぞれ外側から寄りそう接触円の半径は、それぞれ第１半径（ｒ）に等しい。第１領域（１）と第２領域（２）とは、さらに、上面（１１）に、各円板に対して垂直に延在する中心ボルト（１３、１３’）をそれぞれ有し、かつ、下面（１２）に、中心凹部（１４、１４’）を有する。【選択図】  図１ａ
2016522693.tif 000002
【特許請求の範囲】
【請求項１】
第１半径（ｒ）と第１中心点（Ｍ１）とを備えた円板により形成されている第１領域（１）と、
第１半径（ｒ）と第２中心点（Ｍ２）とを備えた円板により形成されている第２領域（２）と
を備えた組み立て部材であって、
前記第１中心点（Ｍ１）と前記第２中心点（Ｍ２）との距離は、前記第１半径（ｒ）の少なくとも近似的に２倍であり、
前記組み立て部材は、前記第１中心点（Ｍ１）と前記第２中心点（Ｍ２）とを結ぶ連結直線の両側に延在する、平面図中では少なくとも近似的に両凹型の移行領域（４）を有し、前記移行領域は、第１境界線（３０）と第２境界線（３１）とを有し、
前記第１中心点（Ｍ１）から前記第２中心点（Ｍ２）までを結ぶ連結線分の垂直二等分線は、第１境界線（３０）と第１点（Ｐ１）で交差し、第２境界線（３１）と第２点（Ｐ２）で交差し、
前記第１点（Ｐ１）で前記両凹型の移行領域（４）に外側から寄りそう接触円の半径と、前記第２点（Ｐ１）で前記両凹型の移行領域（４）に外側から寄りそう接触円の半径とは、それぞれ第１半径（ｒ）と少なくとも近似的に等しく、
前記第１領域（１）と前記第２領域（２）とは、前記組み立て部材（１０）の上面（１１）で、各円板に対して垂直に延在する中心ボルト（１３、１３’）をそれぞれ有し、
前記第１領域（１）と前記第２領域（２）とは、それぞれ前記組み立て部材（１０）の下面（１２）に、中心凹部（１４、１４’）を有する
組み立て部材。
【請求項２】
（ｉ）前記第１中心点（Ｍ１）と前記第２中心点（Ｍ２）との距離は、２ｒであり、または、０．９５×２ｒ〜１．０５×２ｒもしくは０．９８×２ｒ〜１．０２×２ｒの範囲であり、および／または、（ｉｉ）前記第１領域（１）と前記第２領域（２）とは、平面図中で接触し、または、互いに対してわずかな距離のみをとっている請求項１に記載の組み立て部材。
【請求項３】
前記第１点（Ｐ１）で前記両凹型の移行領域（４）に外側から寄りそう接触円の半径と、前記第２点（Ｐ１）で前記両凹型の移行領域（４）に外側から寄りそう接触円の半径とは、それぞれ前記第１半径（ｒ）に等しく、または、
前記第１点（Ｐ１）で前記両凹型の移行領域（４）に外側から寄りそう接触円の半径と、前記第２点（Ｐ１）で前記両凹型の移行領域（４）に外側から寄りそう接触円の半径とは、それぞれ、０．９５×ｒ〜１．０５×ｒ、または、０．９８×ｒ〜１．０２×ｒの範囲である請求項１または２に記載の組み立て部材。
【請求項４】
第１半径（ｒ）と第３中心点（Ｍ３）とを備えた円板により形成されている領域（３）を有し、
前記第１中心点（Ｍ１）と前記第３中心点（Ｍ３）との距離は、第１半径（ｒ）の少なくとも近似的に２倍であり、
前記組み立て部材は、前記第１中心点（Ｍ１）と前記第３中心点（Ｍ３）とを結ぶ連結直線の両側に延在する、平面図では少なくとも近似的に両凹型のさらなる移行領域（６）を有し、該さらなる移行領域（６）は第３境界線（３２）と第４境界線（３３）とを備えていて、
前記第１中心点（Ｍ１）から前記第２中心点（Ｍ３）へ結ぶ連結線分の垂直二等分線は、前記第３境界線（３２）と第３点（Ｐ３）で交差し、前記第４境界線（３３）と第４点（Ｐ４）で交差し、
前記第３点（Ｐ３）で前記さらなる両凹型の移行領域（６）に外側から寄りそう接触円の半径と、前記第４点（Ｐ４）で前記さらなる両凹型の移行領域（６）に外側から寄りそう接触円の半径とは、それぞれ、第１半径（ｒ）と少なくとも近似的に等しく、
前記第３領域（３）は、前記組み立て部材（１０）の上面（１１）で、さらなる中心ボルト（１３”）を有し、該中心ボルトは前記第３領域（３）の円板に対して垂直に延在し、
前記第３領域（３）は、前記組み立て部材の下面（１２）で、さらなる中心凹部（１４”）を有する
請求項１〜３のいずれか１項に記載の組み立て部材。
【請求項５】
前記ボルト（１３、１３’、１３”）と、前記凹部（１４、１４’、１４”）とは、平面図中で、それぞれ円形状に形成されていて、
前記凹部（１４、１４’、１４”）の直径は、前記ボルト（１３、１３’、１３”）の直径にそれぞれ等しいまたはこれよりわずかに大きい請求項１〜４のいずれか１項に記載の組み立て部材。
【請求項６】
中心凹部（１４、１４’、１４”）の少なくとも一つが、止まり穴として形成されている請求項１〜５の少なくともいずれか１項に記載の組み立て部材。
【請求項７】
中心凹部（１４、１４’、１４”）の少なくとも一つの深さは、それぞれ各円板の高さの２５％〜６０％、好ましくは４０％〜６０％である請求項１〜６いずれか１項に記載の組み立て部材。
【請求項８】
中心ボルト（１３、１３’、１３”）の少なくとも一つが、各前記円板の上面（１１）から出発して、各円板の高さの２５％〜６０％、好ましくは４０％〜６０％の範囲の高さにまで延在する請求項１〜７のいずれか１項に記載の組み立て部材。
【請求項９】
中心凹部（１４、１４’、１４”）の少なくとも一つは、各円板の貫通する凹部としてまたは貫通孔として形成されていて、
中心ボルト（１３、１３’、１３”）の少なくとも一つは、この種の貫通する凹部または貫通孔中に、貼り付けられ、またはとりわけ圧入を介して挿入されている請求項１〜８のいずれか１項に記載の組み立て部材。
【請求項１０】
前記組み立て部材（１０）は、木、コンクリート、ガラス、鋼鉄もしくはアルミニウムなどの金属から、または、プラスチックもしくは発泡材料から形成されている請求項１〜９のいずれか１項に記載の組み立て部材。
【請求項１１】
前記組み立て部材（１０）は玩具用組み立て部材（１０）である請求項１〜１０のいずれか１項に記載の組み立て部材。
【請求項１２】
前記組み立て部材（１０）は、壁、柵、棚などの家具、花壇もしくは植物プランター、見本市組み立て部材、仕切り壁または視線を遮る壁の組み立て部材である請求項１〜１１のいずれか１項に記載の組み立て部材。
【請求項１３】
請求項１〜１２のいずれか１項に記載の組み立て部材を複数個備えたシステムまたは組み立てキット。
【請求項１４】
前記システムまたは前記組み立てキットは、２つの中心凹部（１３、１３’、１３”）と、２つの中心ボルト（１４、１４’、１４”）と、平面図中で２つの円板形状の領域と、１つの両凹型の移行領域とを備えた組み立て部材（１０）を複数個有し、かつ、
前記システムまたは組み立てキットは、３つの中心凹部（１３、１３’、１３”）と、３つの中心ボルト（１４、１４’、１４”）と、平面図中で３つの円板形状の領域であって１つの両凹型の移行領域と１つのさらなる両凹型の移行領域とを間に備えた円板状の領域とを備えている組み立て部材（１０）を少なくとも１つ、とりわけ複数個有する、請求項１３に記載のシステムまたは組み立てキット。
【請求項１５】
前記システムまたは組み立てキットは、少なくとも１つの、とりわけ複数のさらなる組み立て部材（２０）を有し、
この１つまたは複数のさらなる組み立て部材（２０）は、第１半径（ｒ）を備えた１つの円板形態で形成されていて、上面には前記円板に対して垂直に延在する中心ボルトを有し、下面には中心凹部を有する請求項１３または１４に記載のシステムまたは組み立てキット。
【発明の詳細な説明】
【技術分野】
【０００１】
本発明は、組み立て部材、および、この種の組み立て部材を備えたシステムに関する。とりわけ、この組み立て部材は、玩具用組み立て部材もしくは玩具の積み木（ブロック）として適していて、または、この種の玩具用組み立て部材ないし玩具の積み木（ブロック）を複数個備えた子供用の組み立てキットに適している。
【背景技術】
【０００２】
子供用の木製積み木は長らく公知である。通常、相応する木製組み立てキットは、多数の基本的な幾何学形状体（例えば、立方体、角柱、球体、直方体または円柱など）からなる。これ以外に、支柱または継ぎ目が、孔を備えていて、かつ、ボルトまたはねじを介して互いに連結されうるような組み立てキットも公知である。
【０００３】
子供用の木製積み木は除いて、一般的に、柵、壁、庭園縁、家具、仕切り壁、可動式仕切り壁、花壇、植物プランターを様々な構成で構築するための、様々な様式の互いに連結可能な組み立て部材が公知であり、これらの組み立て部材は、例えば、互いに接着され、ねじ止めされ、または、互いに留め合わせることができる。
【発明の概要】
【発明が解決しようとする課題】
【０００４】
本発明の目的は、例えば、園芸、家具作り、柵の構築、壁の構築または見本市スタンドの構築の際に、および、玩具用組み立て部材としての使用の際にも、創造的にかつ柔軟に、新しい形状や造形の可能性を実現することができる組み立て部材を提供することである。
【０００５】
特に、この組み立て部材は、玩具用組み立て部材として適していて、かつ、この種の玩具用組み立て部材を備えたシステムまたは組み立てキットの１部分として適しているが、この理由は、この組み立て部材が、調和的にかつ快適に手になじみ、子供達を創造的な遊びや構築に駆り立て、かつ、これを用いて比較的安定的にまとめられるが、しかし、同時に、互いに対して相対的に可動である構造物（壁、橋、塔またはこれ以外の造形物）を造形可能であるからである。
【０００６】
したがって、本発明による組み立て部材は、剛性を有するまっすぐな構造物または直角の角度を有する構造物の構築にのみ適しているのではなく、その構築において非常に柔軟であり、複数の組み立て部材を繋ぎ合わせてまとめた後に、さらにまだ可動である構造物にすることができる。
【課題を解決するための手段】
【０００７】
本発明は、請求項１に記載の組み立て部材に関し、かつ、この種の組み立て部材とりわけ子供用のこの種の組み立て部材を複数個備えた、請求項１３に記載のシステムまたは組み立てキットに関する。本発明のさらなる有利な構成は、従属請求項の対象物である。
【０００８】
本発明による組み立て部材は、２つ以上のこの種の組み立て部材が、相並んで置かれる際に、調和的に互いに中に入れられて繋ぎ合わされてまとめられ、組み立て部材の第１ないし第２円板領域が、移行領域の凹型のアーチ形中に係合する点を特徴とする。移行領域の曲率半径の大きさは、第１ないし第２円板領域の半径に等しく、ないし、これに少なくとも近似的に一致するので、かつ、第１円板領域と第２円板領域とは、接触するか、または少なくともほぼ接触するので、対になった組み立て部材がずらして相並んで置かれる場合には、一方の組み立て部材が、他方の組み立て部材の両凹型の移行領域の一方の側で、凹型のアーチ形中に継ぎ目なしにまたは少なくともほぼ継ぎ目なしに挿入され、その側で、第２組み立て部材が、第１組み立て部材と、理想的な場合には、両凹型の移行領域の１つの側に沿って、移行領域の全外側境界線に渡って接触する。
【０００９】
本発明による組み立て部材は、さらに、等しくまたは異なるように造形された組み立て部材を用いて構築する場合、または、これらを繋ぎ合わせてまとめる場合に、個々の組み立て部材間の角度について、広い範囲の角度、とりわけ９０°未満で６０°までの角度が許容される、または可能であるという利点がある。例えば、この種の組み立て部材から造形された壁は、これ以下の角度では作られる穴または隙間を有さない。したがって、例えば、９０度未満で６０度までの構築可能な角度を有する連続的な壁面を作ることができる。
【００１０】
とりわけいわゆる「２つ組」を用いるのみで、特別な角度のある石材（ブロック）または曲率のある石材（ブロック）を必要としなくても、非常に様々な角度（鋭角でさえも）（６０°〜３００°）を有する壁を造形することができる。それにもかかわらず、この種の壁は連続的な壁面を有する。これらの壁は、したがって、非常に多用な造形を可能にし、非常に容易な構築（および、再び分解も）を可能にし、そのボルト−穴システムにより、良好な基本的な安定性が確保される。
【００１１】
ある好適な実施形態では、両凹型の移行領域は、第１中心点Ｍ１と第２中心点Ｍ２とを結ぶ連結直線が両凹型の移行領域を横断する箇所では、ある１点に狭まり、その結果、第１円板領域と第２円板領域とはこの点で接触し、または、両凹型の移行領域は、この箇所で少なくとも細く、例えば組み立て部材のサイズ設定によっては、幅が約０．２〜１．５ｍｍのみとなる。
【００１２】
しかし、本発明による組み立て部材では、製造における１００％の幾何学的な精確性は、全く必要ではないという点が有利である。むしろ、玩具用組み立て部材としての利用の場合には、相応の製造許容誤差とわずかな遊びとを備えた複数の組み立て部材を、好ましくは子供でさえも特筆すべき力を使わずに、繋ぎ合わせてまとめることができ、互いに対して容易に曲げることができ、傾斜させることなく、かつ、特筆すべき押圧力なしに、上下に載せることができるので好都合でさえある。これにより、「２つ組」は、わずかな遊びで、「２つ組」または「３つ組」に載せることができ、２つの「１つ組」は、相並んで、わずかな遊びで「２つ組」に載せることができ、１列に配置された２つの「２つ組」は、載せられた「２つ組」または「３つ組」などを用いて円滑に連結され、または橋渡しされることができる。
【００１３】
この目的のために、本発明による組み立て部材を、製造後に、好ましくは少し研磨し、ないし縁を丸め、ボルトおよび／または凹部もしくは孔の開口を面取りする。これにより、とりわけ、子供が遊ぶ際に組み立て部材を容易に繋ぎ合わせてまとめることができるようになる。
【００１４】
全体として、本発明による組み立て部材は、調和的に、快く手になじみ、例えばブナなどの無垢材を用いた実施形態では、高価値になりかつ環境保護的な効果がある。しかし、組み立て部材用の材料としては、アルミニウムなどの金属、ガラス、プラスチック、セラミック、石膏またはコンクリートも適している。本発明による組み立て部材は、色付けも可能であり、例えば原色のラッカーを塗ることもでき、透明ラッカーを塗ることもでき、または天然の木で実施することも可能である。
【００１５】
本発明による組み立て部材では、少数の種類の組み立て部材のみを用いて、または、単一の種類のみの組み立て部材、例えば「２つ組」の形態の組み立て部材のみを用いてさえ、子供を創造的な遊びおよび構築に駆り立てることができる。この種の組み立て部材を玩具用組み立て部材として用いることにより、壁、橋、家屋、蛇、列状の構造物、角ばったもしくは丸い塔またはこれ以外の構造物を造形することができ、これらの構造物は、ボルトと凹部ないし孔とを介して、上下で比較的安定的にまとめられるが、しかし、同時に互いに対して相対的に可動であり、したがって、まっすぐな構造物または直角の構造物の構築のみが可能となるのではなく、丸いまたは曲がった構造物、ないし、組み立て後に変形可能な構造物も可能となる。
【００１６】
本発明のある実施形態では、第１、第２および第３中心点（Ｍ１、Ｍ２、Ｍ３）は、一直線上にある。これにより、まっすぐな「３つ組」の形態のまっすぐな組み立て部材が得られるが、これは、図２ａ〜２ｄに示した通りである。
【００１７】
本発明の別の実施形態では、第１中心点と第２中心点（Ｍ１．Ｍ２）とを結ぶ連結直線は、第２中心点と第３中心点（Ｍ１．Ｍ３）とを結ぶ連結直線と垂直である。これにより、Ｌ字型または直角の「３つ組」の形態での組み立て部材が得られる。
【００１８】
本発明のある好適な実施形態では、組み立て部材は、第１中心点（Ｍ１）と第２中心点（Ｍ２）とを結ぶ連結線分に関して軸対称であり、かつ、第１中心点（Ｍ１）と、第２中心点（Ｍ２）とを結ぶ連結線分の垂直二等分線に関して軸対称である。
【００１９】
本発明のある実施形態では、組み立て部材は、第１中心点（Ｍ１）と第３中心点（Ｍ３）とを結ぶ連結線分に関して軸対称であり、この組み立て部材は、第１中心点（Ｍ１）と第３中心点（Ｍ３）とを結ぶ連結線分の垂直二等分線に関して軸対称である。
【００２０】
本発明による組み立て部材に関する上述の概念ないし構成原理は、当然、本発明の枠内で、より複雑な組み立て部材に拡大することが可能であるが、これは、図中に示された実施形態を組み合わせて、例えば、まっすぐな「４つ組」、二等辺のＬ字型の「４つ組」、まっすぐな「５つ組」、４：１または２：３などで分けられたＬ字型の「５つ組」などに組み合わせることにより行われる。これ以外に、当然、十字型の組み立て部材を作ることも可能で、例えば中央で交差するまっすぐな「３つ組」を２つ組んだ形態での組立用部材、Ｔ字型の組み立て部材、および、これ以外の多くの形態も可能である。
【００２１】
本発明による概念を実現する基本的でそれ自体単純である組み立て部材は、図１ａ〜１ｄに図示されたような「２つ組」である。
【００２２】
最後に、「１つ組」（すなわち、図３ａ〜３ｄに示したような、実質的に１つのボルトと１つの凹部または孔とを備えた円板）も、例えば、要石として、補充部として、装飾のために、塔または凸壁などを構築するために利用可能である点も有用であると判明している。
【００２３】
凹部の直径と、ボルトの直径とは、好ましくはそれぞれ、各円板の直径の２０％〜４０％の範囲にあり、とりわけ約３０％である。
【００２４】
第１領域の円板および第２領域の円板、好ましくは移行領域も、それぞれ好ましくは高さｈが少なくとも近似的に等しい。
【００２５】
「３つ組」またはより複雑な組み立て部材の場合には、第１領域の円板、第２領域の円板、第３領域の円板、ならびに、好ましくは移行領域およびさらなる移行領域も、好ましくは、高さｈがそれぞれ少なくとも近似的に等しい。
【００２６】
第１領域と、第２領域と、場合によっては第３領域と、移行領域と、場合によってはさらなる移行領域との表面は、好ましくは滑らかで平坦であり、および／または、上面のボルトと、場合によっては下面の凹部ないし孔とは、好ましくは面取りされ、ないし丸められている。これにより、組み立て部材は、快く、快適に手になじみ、これを円滑に用いることができる。
【００２７】
本発明のある実施形態では、少なくとも１つの、双方のまたは全ての中心ボルトは、各円板と共に一体的に形成されている。これにより、接着またはグラウト塗り固めを省くことができるが、製造時にはより多くの廃棄物が生じてしまう。
【００２８】
本発明のある別の実施形態では、少なくとも１つの、双方のまたは全ての中心凹部が、各円板領域の貫通孔として形成されている。この場合、その後、少なくとも１つの、双方のまたは全てのボルトが、この種の貫通孔に貼り付けられ、またはとりわけ圧入を介して挿入される。
【００２９】
第１半径ｒは、玩具用組み立て部材では、好ましくは１０〜３０ｍｍ、とりわけ１５〜２５ｍｍの範囲内、例えば、約２０ｍｍである。円板領域の高さｈは、玩具用組み立て部材では、好ましくは１５〜２５ｍｍの範囲内、例えば約２０ｍｍである。
【００３０】
中心ボルトと中心凹部とは、このボルトが凹部中に係合する際に、好ましくは、円滑にかつわずかな遊びをもって回転することができるようなサイズに設定されている。
【００３１】
２つ組の形態での組み立て部材（図１ａ〜１ｄ参照）は、全体として、自転車チェーンリンクプレートと類似の外側輪郭を有し、短い移行領域と本発明により選択された曲率半径とを備えている。
【００３２】
この両凹型の移行領域またはさらなる両凹型の移行領域は、本発明の全ての実施形態において全般的に、隣接する円板領域の中心点を結ぶ方向で非常に短く、かつ、この方向での幅が、好ましくは０またはほぼ０であり、その結果、隣接する円板領域が接触し、または、いずれにせよ互いからわずかな距離が離れているのみである点を強調すべきである。
【００３３】
本発明による組み立て部材の造形原理ないし「１つ組」の造形原理も、玩具用組み立て部材にのみ適しているのではなく、一般的な組み立て部材、例えば木、コンクリートまたは石製の組み立て部材にも転用することができ、例えば、棚などの家具、見本市スタンド用の構成部品、仕切り壁、壁、柵、庭園縁または縁石を提供するために利用可能である。このために、組み立て部材のサイズ設定を、上述の比率を維持して相応に適応させ、その使用にそれぞれ適切な材料（例えば、コンクリート）を選択可能である。この種の一般的な組み立て部材としての使用の場合には、必要に応じてボルトおよび／または凹部を組み立て部材に設けることを、全体的にまたは部分的に行わないことが可能である。
【図面の簡単な説明】
【００３４】
【図１ａ】「２つ組」の形態での本発明の第１実施形態の平面図である。
【図１ｂ】図１ａに記載の実施形態を下から見た図である。
【図１ｃ】図１ａに記載の実施形態の側面図である。
【図１ｄ】図１ａに記載の実施形態の斜視図である。
【図１ｅ】ずれて相並んでいる２つの図１ａの「２つ組」の図である。
【図２ａ】「３つ組」の形態での本発明の第１実施形態の平面図である。
【図２ｂ】図２ａに記載の実施形態を下から見た図である。
【図２ｃ】図２ａに記載の実施形態の側面図である。
【図２ｄ】図２ａに記載の実施形態の斜視図である。
【図３ａ】「１つ組」の形態であって、例えば末端部品または充填部材として適している組み立て部材の平面図である。
【図３ｂ】図３ａを下から見た図である。
【図３ｃ】図３ａの側面図である。
【図３ｄ】図３ａの斜視図である。
【発明を実施するための形態】
【００３５】
図１ａは、玩具用組み立て部材の形態での組み立て部材１０の第１実施形態の平面図である。この例では、組み立て部材１０は、いわゆる「２つ組」の形態を有する。図１ｂは、図１ａに記載の組み立て部材１０を下から見た図である。図１ｃは、図１ａに記載の組み立て部材１０の側面図であり、図１ｄは、図１ａに記載の組み立て部材１０の斜視図である。
【００３６】
この組み立て部材１０は、平面図では、第１領域１（これは、中心点Ｍ１を備え、半径ｒが例えば２１ｍｍで、高さｈが例えば２０ｍｍの円板形状である）と、第２領域２（これは、中心点Ｍ２を備え、半径ｒが例えば２１ｍｍで等しく、高さｈが例えば２０ｍｍで等しい円板形状である）とを有する。
【００３７】
領域１・２はそれぞれ、中心点Ｍ１ないしＭ２を通って貫通する丸い中心凹部ないし孔１４・１４’を有し、この直径は例えば１５ｍｍで、この中にそれぞれ１つの丸い中心ボルト１３・１３’が挿入され、とりわけ貼り付けられまたは押し込まれている。これらのボルト１３・１３’は、第１ないし第２領域１・２中、孔１４・１４’中に、好ましくはそれぞれ高さｈの約半分またはこれより少し小さい深さ、または、例えば、孔１４・１４’の深さの３０％〜４０％まで延在し、その結果孔１４・１４’は、組み立て部材１０の下面１２から、約半分まで出入り可能で、ないし充填されていないままであり、上面１１上では、第１ないし第２領域１・２の表面を越えて、それぞれ好ましくはｈ／２以下の高さまたはこれより少し小さい高さにまで、または、例えば、高さｈの２５％〜４０％まで延在し、すなわち、ボルト１３・１３’の全長は、好ましくは、高さｈの５５％〜１００％、とりわけ７０％〜８５％である。ボルト１３・１３’の直径は、とりわけ組み立て部材１０を一体的に製造する場合には、好ましくは孔１４・１４’の直径に一致し、または、（とりわけ、貼り付けるためには）少しこれより小さく、または（とりわけ、押し込むためには）少しこれより大きい。好ましくはボルト１３・１３’の直径は、約０．５ｍｍ〜１ｍｍであり、または、孔１４・１４’の直径よりも約２％〜７％小さく、その結果、ボルト１３・１３’は、難なく孔１４・１４’中に係合し、その中でわずかに動くことができる。
【００３８】
組み立て部材１０は、例えば全体的に木製であり、ボルト１３・１３’は、好ましくは面取りされまたは丸められ、かつ、孔１４・１４’の縁も好ましくは面取りされまたは丸められている。組み立て部材１０の全表面は、好ましくは研磨されている。
【００３９】
第１および第２領域１・２は、好ましくは関連する円板が１点で接触し、または、わずかな距離のみ、例えば０．２〜１．５ｍｍ（または半径ｒの約１％〜７％）のみ離れているように形成されている。
【００４０】
組み立て部材１０は、さらに平面図中で、両凹型の移行領域４を有する。第１領域１と第２領域２との双方の円板が接触する際に、両凹型の移行領域４は、双方の中心点Ｍ１およびＭ２を結ぶ連結直線上で、１点のみで狭まり、ないし、他の場合では、ここで、幅は、線分Ｍ１Ｍ２の長さから２ｒを引いた長さである。双方の中心点Ｍ１およびＭ２を結ぶ連結直線の両側で、両凹型の移行領域４は、それぞれ等しい負の曲率半径を有し、この値は、少なくとも近似的に、すなわち、わずかな遊びまたは通常の製造許容誤差を除くと、円板の半径ｒに相当する。
【００４１】
幾何学的には、両凹型の移行領域４は、双方の円板が接触する際に、以下により与えられる。すなわち、相応の同一の円板（または「１つ組」）を、双方の中心点Ｍ１およびＭ２を結ぶ連結直線の各側から、この連結直線に対して垂直方向で円板に対して押し、その結果、この連結直線に対して垂直方向で押された円板が、第１ないし第２領域１・２の円板と、それぞれ１点で接触することにより与えられる。これにより、平面図中、双方の中心点Ｍ１およびＭ２を結ぶ連結直線の双方の側で、円板により包囲される面が、それぞれ曲率半径−ｒの凹型で、双方の中心点Ｍ１およびＭ２を結ぶ連結直線上の共通の１点を介して互いに連結され、したがって、共になって両凹型の移行領域４を形成する。
【００４２】
図１ｅは、図１ａに記載の２つの組み立て部材１０を、いかにずらして相並んで配置するかを示し、この図中、領域１ないし領域２は、両凹型の移行領域４中に係合する。
【００４３】
図２ａは、いわゆる「３つ組」の形態での本発明の玩具用組み立て部材としての組み立て部材１０の第２実施形態の平面図である。図２ｂは、図２ａに記載の組み立て部材１０を下から見た図である。図２ｃは、図２ａに記載の組み立て部材１０の側面図である。図２ｄは、図２ａに記載の組み立て部材１０の斜視図である。
【００４４】
図２ａ〜２ｄに記載の実施形態は、図１ａ〜１ｄに記載の実施形態とは、中心点Ｍ３を備え、かつ、幾何学的には第１または第２領域１・２と類似的に形成された第３領域３が設けられているという点のみが異なり、この第３領域は、第２領域２に隣接して配置されていて、その結果、組み立て部材１０は、全体として１つの構造部材分だけより長くなっている。第３領域３は、ボルト１３または１３’と類似のボルト１３”と、凹部または孔１４または１４’と類似の凹部または孔１４”とを有する。第２領域２と第３領域３との間には、さらなる両凹型の移行領域６があるが、これは、幾何学的には移行領域４と類似的に形成されている。
【００４５】
「２つ組」が、図２ａ〜２ｄに記載のまっすぐな「３つ組」に拡張可能であるように、２つ組を角度のある「３つ組」に拡張することも可能であり、すなわち、Ｍ１−Ｍ２を結ぶ連結直線がＭ２−Ｍ３を結ぶ連結直線に対して、９０°の角度またはこれ以外の角度（例えば４５°、６０°、３０°または１２０°、１３５°または１５０°）を採ることもできる。同様に、「３つ組」を「４つ組」にさらに発展させることができ、これは、例えば、まっすぐな「４つ組」として、２：２または３：１または１：３で分けられた角度がある「４つ組」として、相並ぶ２つの「２つ組」からなる「４つ組」（その結果、平面図では、実質的に大まかには正方形の形状が生じる）として、または、ずらして相並ぶ２つの「２つ組」からなる「４つ組」（その結果、平面図中では、実質的に大まかに見ると平行四辺形の形状が生じる）としてさらに発展させることができる。ここから出発して、必要に応じて、より複雑な本発明による組み立て部材１０も、同じ構築原理に従って難なく作ることができる（「５つ組」、「６つ組」など）。
【００４６】
図３ａは、「１つ組」の形態での玩具用組み立て部材としてのさらなる組み立て部材２０の平面図であり、これは、例えば、末端部品または充填部材として適している。図３ｂは、図３ａを下から見た図である。図３ｃは、図３ａの側面図であり、図３ｄは、図３ａの斜視図である。
【００４７】
このさらなる組み立て部材２０は、平面図中で円板の形状を有し、これは、中心点Ｍを備え、この場合も半径ｒが例えば２１ｍｍであり、好ましくはこの場合も高さｈが例えば２０ｍｍである。さらに、このさらなる組み立て部材２０の円板は、好ましくは、中心点Ｍを通り貫通する直径が例えば１５ｍｍの丸い中心孔を有し、この孔の中に、丸い中心ボルトが挿入され、とりわけ貼り付けられ、または押し込まれている。このボルトは、この場合も、孔中で好ましくは高さｈの約半分までまたはこれよりもわずかに小さい深さにまで延在し、その結果、この孔は、さらなる組み立て部材２０の下面から、約半分まで出入り可能で、ないし充填されていないままであり、上面では、円板の表面を越えて、好ましくはｈ／２以下の高さまたはこれより少し小さい高さにまで、例えば、高さｈの２５％〜４０％まで延在し、すなわち、ボルトの全長は、好ましくは高さｈの５５％〜１００％、とりわけ７０％〜８５％である。ボルトの直径は、とりわけさらなる組み立て部材２０を一体的に製造する場合には．この場合も好ましくは孔の直径に一致し、または、（とりわけ貼り付けるためには）少しこれより小さく、または（とりわけ押し込むために）少しこれより大きい。さらなる組み立て部材２０は、好ましくは、組み立て部材１０と同じ材料で製造される。組み立て部材１０と同様に、ボルトは、さらなる組み立て部材２０の場合も、好ましくは面取りされまたは丸められ、孔の縁は、好ましくはこれも面取りされまたは丸められ、さらなる組み立て部材２０の表面全体が、好ましくはこれも研磨される。
【００４８】
複数の等しいおよび／または様々な組み立て部材１０および／またはさらなる組み立て部材２０は、とりわけ子供用の玩具用組み立て部材の造形の場合には、システムまたは組み立てキットにまとめられうる。
【図１ａ】
2016522693.tif 000003
【図１ｂ】
2016522693.tif 000004
【図１ｃ】
2016522693.tif 000005
【図１ｄ】
2016522693.tif 000006
【図１ｅ】
2016522693.tif 000007
【図２ａ】
2016522693.tif 000008
【図２ｂ】
2016522693.tif 000009
【図２ｃ】
2016522693.tif 000010
【図２ｄ】
2016522693.tif 000011
【図３ａ】
2016522693.tif 000012
【図３ｂ】
2016522693.tif 000013
【図３ｃ】
2016522693.tif 000014
【図３ｄ】
2016522693.tif 000015
【国際調査報告】
2016522693.tif 000016
2016522693.tif 000017
2016522693.tif 000018
2016522693.tif 000019
2016522693.tif 000020
2016522693.tif 000021